(57)【要約】【課題】クレードルや子機に、ユーザが所望するアラーム時刻にアラームを鳴動させるアラーム手段を備えさせる。【解決手段】１２キー２８から入力したアラーム時刻を記憶装置２２に記憶させた子機２０をクレードル３０に接続した際に、通信端子２９からアラーム時刻を送信してタイマ装置３２にセットして計時動作を起動させ、該アラーム時刻に到達した際にアラーム鳴動装置３１からアラームを鳴動させる。また、複数の異なるクレードル３０に子機２０を順次接続し、クレードル３０それぞれのタイマ装置３２に順次アラーム時刻をセットして計時させる。更に、記憶装置２２にアラーム時刻が記憶されていない子機２０を接続したクレードル３０がアラーム時刻を計時中であれば、表示装置２５に該アラーム時刻を表示させ、記憶装置２２にアラーム時刻が記憶している子機２０を接続したクレードル３０がアラーム時刻の計時中であれば、表示装置２５に警告表示させる。【選択図】        図１
2004212293.tif 000002
【特許請求の範囲】
【請求項１】
アラーム時刻を入力する入力手段と、入力されたアラーム時刻を記憶する記憶手段と、当該第１の装置が第２の装置に接続された際に前記記憶手段に記憶されているアラーム時刻を前記第２の装置に送信する送信手段とを備えて、バッテリーで駆動される第１の装置と、前記第１の装置に当該第２の装置が接続された際に前記第１の装置から送信されてくるアラーム時刻を受信する受信手段と、受信されたアラーム時刻をセットして該アラーム時刻を計時するタイマ手段と、セットされたアラーム時刻に到達した際にアラームを鳴動させるアラーム鳴動手段と、前記第１の装置が当該第２の装置に接続されている場合に前記第１の装置の前記バッテリーを充電する充電手段とを備えた第２の装置とからなることを特徴とするアラーム装置。
【請求項２】
請求項１に記載のアラーム装置において、前記第２の装置が、前記タイマ手段にセットされて計時されているアラーム時刻をリセットして初期状態に復旧させる、及び／又は、前記アラーム鳴動手段により鳴動しているアラームを停止させる停止手段を備えていることを特徴とするアラーム装置。
【請求項３】
請求項１又は２に記載のアラーム装置において、前記第１の装置が、前記記憶手段に記憶されているアラーム時刻を削除するクリア手段を備えていることを特徴とするアラーム装置。
【請求項４】
請求項３に記載のアラーム装置において、前記クリア手段により、前記記憶手段に記憶しているアラーム時刻を削除させる動作は、前記第２の装置に対してアラーム時刻を送信した後に有効にされることを特徴とするアラーム装置。
【請求項５】
請求項１乃至４のいずれかに記載のアラーム装置において、前記第２の装置は、前記第１の装置が当該第２の装置と接続されているか否かによらず、前記タイマ手段にセットされたアラーム時刻を計時し、アラーム時刻に到達した際に前記アラーム鳴動手段によりアラームを鳴動させることを特徴とするアラーム装置。
【請求項６】
請求項１乃至５のいずれかに記載のアラーム装置において、前記第１の装置を、複数の異なる前記第２の装置に順次接続することにより、前記記憶手段に記憶されているアラーム時刻を、複数の異なる前記第２の装置のそれぞれの前記タイマ手段に順次セットしてアラーム時刻を計時させることができることを特徴とするアラーム装置。
【請求項７】
請求項１乃至６のいずれかに記載のアラーム装置において、前記第１の装置が、アラーム時刻を表示する表示手段を備え、前記第１の装置の前記記憶手段にはアラーム時刻が記憶されていない状態にある場合に、当該第１の装置と接続された前記第２の装置の前記タイマ手段がアラーム時刻を計時している状態にある場合、前記第２の装置の前記タイマ手段が計時しているアラーム時刻が前記第１の装置の前記表示手段に表示されることを特徴とするアラーム装置。
【請求項８】
請求項１乃至７のいずれかに記載のアラーム装置において、前記第１の装置が、警告表示及びアラーム時刻を表示する表示手段を備え、前記第１の装置の前記記憶手段にアラーム時刻が記憶されている状態にある場合に、当該第１の装置と接続された前記第２の装置の前記タイマ手段がアラーム時刻を計時している状態にある場合、前記第２の装置の前記タイマ手段が既にアラーム時刻を計時している旨を示す警告表示が、前記記憶手段が記憶しているアラーム時刻及び／又は前記タイマ手段が計時しているアラーム時刻と共に、あるいは、いずれの前記アラーム時刻も伴うことなく、前記第１の装置の前記表示手段に表示されることを特徴とするアラーム装置。
【請求項９】
請求項８に記載のアラーム装置において、前記第１の装置が、前記表示手段に表示された前記警告表示に対して後続する動作を選択する選択手段を備え、該選択手段により、前記記憶手段が記憶しているアラーム時刻を前記タイマ手段に上書きしてセットするか、又は、前記タイマ手段が計時しているアラーム時刻のままとするかを、ユーザが選択することができることを特徴とするアラーム装置。
【請求項１０】
請求項１乃至９のいずれかに記載のアラーム装置において、前記第２の装置が、点灯又は点滅表示が可能な発光手段を備え、当該第２の装置の前記タイマ手段がアラーム時刻を計時している状態にある場合、前記発光手段を点灯又は点滅させることを特徴とするアラーム装置。
【請求項１１】
電話回線を介して通信を行なう親機と、該親機又は別の子機との間でそれぞれ無線通信を行なう複数の子機と、各該子機のバッテリーをそれぞれ充電することができる複数のクレードルとからなる無線子機付き電話機において、前記子機と前記クレードルとがそれぞれ請求項１乃至１０のいずれかに記載の前記第１の装置と前記第２の装置とからなるアラーム装置を構成していることを特徴とする無線子機付き電話機。
【発明の詳細な説明】
【０００１】
【発明の属する技術分野】
本発明は、アラーム装置及び無線子機付き電話機に関し、特に、無線子機付き電話機の子機を接続して充電したりデータをやり取りするクレードルを用いて、該子機と該クレードルとから構成されるアラーム装置及び該アラーム装置を備えた無線子機付き電話機に関する。
【０００２】
【従来の技術】
従来、複数の子機を有するコードレス電話機において、クレードル（ｃｒａｄｌｅ：外部の機器とデータをやり取りしたり、充電したりするための接続装置）を用いて、子機を充電する以外に、子機と情報を交換する例として、クレードルから子機に対して、該クレードルと子機との接続状態を特定するための情報が送信される技術が提示されている。
例えば、特許文献１に記載のコードレス電話機においては、子機をクレードルの一種である充電台上に載置した際に、該充電台を特定する充電台番号が充電台側から子機側に通知されるような構成例が示されている。もって、親機又は別の子機が、子機を呼び出そうとする際に、子機が入れ替わって充電台に載置されていたとしても、所望の充電台番号を有する充電台に載置された子機を呼び出すことを可能としている。
【０００３】
【特許文献１】
特開平８−１６３２１６号公報（第３頁、図１）
【０００４】
【発明が解決しようとする課題】
しかしながら、従来の技術に示された特許文献１のような技術にあっては、クレードルから子機側に対して該クレードルとの接続状態（載置状態）を特定する充電台番号を送信することはできるものの、所望のアラーム時刻にユーザに警告を報知してくれるようなアラーム機構を子機やクレードルに備えさせて、アラーム時刻に到達した際に子機側に通知するような設定を行なうことはできない。
本発明は、かかる問題点を解決するためになされたものであり、ユーザが所望するアラーム時刻にアラームを鳴動させるアラーム機構をアラーム装置としてクレードルや子機に備えさせ、子機側から簡単にクレードルにアラーム時刻を設定し、設定されたアラーム時刻に到達した際に、該クレードルにセットされた子機からアラームを鳴動させることを目的としている。
【０００５】
【課題を解決するための手段】
第１の技術手段は、アラーム時刻を入力する入力手段と、入力されたアラーム時刻を記憶する記憶手段と、当該第１の装置が第２の装置に接続された際に前記記憶手段に記憶されているアラーム時刻を前記第２の装置に送信する送信手段とを備えて、バッテリーで駆動される第１の装置と、前記第１の装置に当該第２の装置が接続された際に前記第１の装置から送信されてくるアラーム時刻を受信する受信手段と、受信されたアラーム時刻をセットして該アラーム時刻を計時するタイマ手段と、セットされたアラーム時刻に到達した際にアラームを鳴動させるアラーム鳴動手段と、前記第１の装置が当該第２の装置に接続されている場合に前記第１の装置の前記バッテリーを充電する充電手段とを備えた第２の装置とからなるアラーム装置とすることを特徴とするものである。
【０００６】
第２の技術手段は、前記第１の技術手段に記載のアラーム装置において、前記第２の装置が、前記タイマ手段にセットされて計時されているアラーム時刻をリセットして初期状態に復旧させる、及び／又は、前記アラーム鳴動手段により鳴動しているアラームを停止させる停止手段を備えているアラーム装置とすることを特徴とするものである。
【０００７】
第３の技術手段は、前記第１又は第２の技術手段に記載のアラーム装置において、前記第１の装置が、前記記憶手段に記憶されているアラーム時刻を削除するクリア手段を備えているアラーム装置とすることを特徴とするものである。
【０００８】
第４の技術手段は、前記第３の技術手段に記載のアラーム装置において、前記クリア手段により、前記記憶手段に記憶しているアラーム時刻を削除させる動作は、前記第２の装置に対してアラーム時刻を送信した後に有効にされるアラーム装置とすることを特徴とするものである。
【０００９】
第５の技術手段は、前記第１乃至第４の技術手段のいずれかに記載のアラーム装置において、前記第２の装置は、前記第１の装置が当該第２の装置と接続されているか否かによらず、前記タイマ手段にセットされたアラーム時刻を計時し、アラーム時刻に到達した際に前記アラーム鳴動手段によりアラームを鳴動させるアラーム装置とすることを特徴とするものである。
【００１０】
第６の技術手段は、前記第１乃至第５の技術手段のいずれかに記載のアラーム装置において、前記第１の装置を、複数の異なる前記第２の装置に順次接続することにより、前記記憶手段に記憶されているアラーム時刻を、複数の異なる前記第２の装置のそれぞれの前記タイマ手段に順次セットしてアラーム時刻を計時させることができるアラーム装置とすることを特徴とするものである。
【００１１】
第７の技術手段は、前記第１乃至第６の技術手段のいずれかに記載のアラーム装置において、前記第１の装置が、アラーム時刻を表示する表示手段を備え、前記第１の装置の前記記憶手段にはアラーム時刻が記憶されていない状態にある場合に、当該第１の装置と接続された前記第２の装置の前記タイマ手段がアラーム時刻を計時している状態にある場合、前記第２の装置の前記タイマ手段が計時しているアラーム時刻が前記第１の装置の前記表示手段に表示されるアラーム装置とすることを特徴とするものである。
【００１２】
第８の技術手段は、前記第１乃至第７の技術手段のいずれかに記載のアラーム装置において、前記第１の装置が、警告表示及びアラーム時刻を表示する表示手段を備え、前記第１の装置の前記記憶手段にアラーム時刻が記憶されている状態にある場合に、当該第１の装置と接続された前記第２の装置の前記タイマ手段がアラーム時刻を計時している状態にある場合、前記第２の装置の前記タイマ手段が既にアラーム時刻を計時している旨を示す警告表示が、前記記憶手段が記憶しているアラーム時刻及び／又は前記タイマ手段が計時しているアラーム時刻と共に、あるいは、いずれの前記アラーム時刻も伴うことなく、前記第１の装置の前記表示手段に表示されるアラーム装置とすることを特徴とするものである。
【００１３】
第９の技術手段は、前記第８の技術手段に記載のアラーム装置において、前記第１の装置が、前記表示手段に表示された前記警告表示に対して後続する動作を選択する選択手段を備え、該選択手段により、前記記憶手段が記憶しているアラーム時刻を前記タイマ手段に上書きしてセットするか、又は、前記タイマ手段が計時しているアラーム時刻のままとするかを、ユーザが選択することができるアラーム装置とすることを特徴とするものである。
【００１４】
第１０の技術手段は、前記第１乃至第９の技術手段のいずれかに記載のアラーム装置において、前記第２の装置が、点灯又は点滅表示が可能な発光手段を備え、当該第２の装置の前記タイマ手段がアラーム時刻を計時している状態にある場合、前記発光手段を点灯又は点滅させるアラーム装置とすることを特徴とするものである。
【００１５】
第１１の技術手段は、電話回線を介して通信を行なう親機と、該親機又は別の子機との間でそれぞれ無線通信を行なう複数の子機と、各該子機のバッテリーをそれぞれ充電することができる複数のクレードルとからなる無線子機付き電話機において、前記子機と前記クレードルとがそれぞれ前記第１乃至第１０の技術手段のいずれかに記載の前記第１の装置と前記第２の装置とからなるアラーム装置を構成無線子機付き電話機とすることを特徴とするものである。
【００１６】
而して、前記第１乃至第１１の技術手段のいずれかによれば、たとえ、単独ではアラーム時刻の表示や設定を行なう手段を備えていない安価なクレードルであっても、該クレードルにセットして接続する子機を用いて、簡単に、１乃至複数のクレードルにアラーム時刻を設定し、アラーム時刻に到達した際に、それぞれのクレードルからアラームを鳴動させることができる。
【００１７】
【発明の実施の形態】
以下、図面を参照しながら、本発明に係るアラーム装置及び無線子機付き電話機の実施の形態についてその一例を説明する。図１は、本発明に係るアラーム装置が適用される複数の子機とクレードルとを備えた無線子機付き電話機全体の構成の一例を示すブロック構成図である。
即ち、図１において、無線子機付き電話機１００は、親機１０と複数の子機２０，２０′，…と複数のクレードル３０，３０′，…とから構成されており、バッテリーで駆動される子機２０と該バッテリーを充電するクレードル３０とは、本発明に係るアラーム装置を構成するそれぞれ第１の装置と第２の装置とを形成している。なお、図１には、複数の子機２０，２０′，…及びクレードル３０，３０′，…の中のそれぞれ１台のみを示している。
なお、本実施例においては、無線子機付き電話機１００の親機１０と子機２０とクレードル３０との構成を例にとって説明することとするが、本発明は、かかる無線子機付き電話機１００の場合のみに限定されるものではなく、例えば、電話機本体と着脱可能な操作表示部と離脱した操作表示部を充電する充電器とを備えた電話機において、電話機本体を親機１０、操作表示部を子機２０として両者の間を無線通信を行なう形態の場合であっても良く、電話機との間で無線通信が可能な端末から構成されておれば、いかなる形態であっても本発明を適用することが可能である。
【００１８】
親機１０において、１１は親機１０全体の動作を制御する親機の制御装置、１２は公衆回線の電話回線に接続するための回線インターフェース、１３は回線インターフェース１２からの電話回線とハンドセット１６からの回線と無線機１７からの回線との内部の経路を変更するクロスポイントスイッチ、１４は電圧１００ＶのＡＣ電源から内部電圧に変換して各回路部に供給する電源装置、１５は呼出音を鳴動させるスピーカ、１６は通話を行なうためのハンドセット、１７は子機２０との間の無線通信を行なうための無線機、１８は発呼のためのダイヤル番号などを入力する１２個のキーからなっている１２キーである。
【００１９】
子機２０において、２１は子機２０全体の動作を制御する子機の制御装置、２２はユーザから入力されたアラーム時刻など各種の情報を記憶するための記憶装置、２３はクレードル３０からバッテリー２４を充電するための電源端子、２４はニッカド充電池等のごとく充電可能なバッテリー、２５は相手電話番号やアラーム時刻を含むアラーム情報あるいはユーザに対して入力案内用の情報を提示する入力案内画面等を表示する表示装置、２６ａは発声音を電気信号に変換するマイク、２６ｂは受信した音声を出力するスピーカ、２７は親機１０との間の無線通信を行なうための無線機、２８は発呼のためのダイヤル番号を入力したり、アラームを鳴動させるアラーム時刻を入力したり、表示装置２５に表示された入力案内画面に基づいた入力操作を行なうための１２個のキーからなっている１２キー、２９はクレードル３０のタイマ装置３２にアラーム鳴動用のアラーム時刻を送信したり、逆に、クレードル３０のタイマ装置３２にアラーム時刻がセットされて計時されているアラーム状態にあるか否かを示すアラーム情報や計時されているアラーム時刻そのものを受信するための通信端子である。
【００２０】
即ち、本発明に係るアラーム装置の第１の装置を形成する子機２０において、１２キー２８及び表示装置２５は、ユーザがアラーム時刻を入力する入力手段を構成し、記憶装置２２は、入力されたアラーム時刻を記憶する記憶手段を構成し、通信端子２９は、第１の装置である子機２０が第２の装置であるクレードル３０にセットされて接続された際に記憶装置２２に記憶されているアラーム時刻を第２の装置のクレードル３０に送信する送信手段、及び、クレードル３０からアラーム時刻がセットされて計時されているアラーム状態にあるか否かを示すアラーム情報や計時されているアラーム時刻そのものを受信する受信手段を構成している。更に、表示装置２５は、通信端子２９の前記受信手段が受信したクレードル３０側のアラーム状態やアラーム時刻を表示したり、あるいは、クレードル３０のタイマ装置３２が既にアラーム時刻を計時中のアラーム状態にある旨を示す警告表示を行なう表示手段も提供している。
【００２１】
また、図１のクレードル３０において、３１はタイマ装置３２によりアラーム時刻に到達したことが検出された際にアラームを鳴動させるアラーム鳴動装置、３２はアラームを鳴動させるアラーム時刻を計時するためのタイマ装置、３３は子機２０のバッテリー２４と充電装置３４とを接続するための電源端子、３４は電源端子３５を介して供給される電圧１００ＶのＡＣ電源から子機２０のバッテリー２４を充電する電圧に変換する充電装置、３５は電圧１００ＶのＡＣ電源を接続する電源端子、３８はユーザが鳴動したアラームを停止させたり、タイマ装置３２の計時動作をリセットするために操作する停止キー、３９は子機２０からアラーム時刻を受信したり、子機２０に対して、タイマ装置３２にアラーム時刻がセットされて計時されているアラーム状態にあるか否かを示すアラーム情報や計時されているアラーム時刻そのものを送信するための通信端子である。
【００２２】
即ち、本発明に係るアラーム装置の第２の装置を形成するクレードル３０において、通信端子３９は、第１の装置である子機２０から送信されてくるアラーム時刻を受信する受信手段、及び、タイマ装置３２にアラーム時刻がセットされて計時されているアラーム状態にあるか否かを示すアラーム情報や計時されているアラーム時刻そのものを当該クレードル３０から送信する送信手段を構成している。また、タイマ装置３２は、子機２０から受信されたアラーム時刻をセットして計時するタイマ手段を構成し、アラーム鳴動装置３１は、タイマ装置３２にセットされたアラーム時刻に到達した際にアラームを鳴動させるアラーム鳴動手段を構成し、充電装置３４は、当該第２の装置であるクレードル３０にセットされて接続状態になった第１の装置である子機２０のバッテリー２４を充電する充電手段を構成している。なお、アラーム鳴動装置３１とタイマ装置３２とは、当該クレードル３０に子機２０が接続されている状態にあるか否かによらず、独立して、タイマ装置３２にセットされたアラーム時刻に到達した際にアラーム鳴動装置３１によりアラームを鳴動させることが可能である。
【００２３】
以上のごとく、本発明に係るアラーム装置は、複数の子機２０（第１の装置）と子機２０それぞれに対応して設置される複数のクレードル３０（第２の装置）とにおいて、アラーム時刻を入力する１２キー２８と該アラーム時刻を記憶する記憶装置２２と設定されているアラーム状態やアラーム時刻等を表示する表示装置２５とクレードル３０（第２の装置）に該アラーム時刻を送信するための通信端子２９とを子機２０に備え、更に、前記アラーム時刻を受信するための通信端子３９と該アラーム時刻を計時するためのタイマ装置３２と該アラーム時刻に到達した際にアラームを鳴動させるアラーム鳴動装置３１とアラームを停止させたりアラーム時刻をリセットさせる停止キー３８とバッテリー２４を充電する充電装置３４とをクレードル３０に備え、更に、バッテリー２４と充電装置３４とを接続する電源端子２３，３３とを子機２０、クレードル３０にそれぞれ備えることにより構成されている。
【００２４】
次に、図１に示す本発明に係るアラーム装置の動作について説明する。
図２は、本発明に係るアラーム装置の動作の一例を説明するための模式図である。図２において、子機２０とクレードル３０とが離れた位置に配置されている場合は、両者が接続されていない状態（即ち、電源端子２３，３３間及び通信端子２９，３９間が接続されていない状態）を示しており、子機２０とクレードル３０とが重ねて配置されている場合は、両者が接続されている状態（即ち、電源端子２３，３３間及び通信端子２９，３９間が接続されている状態）を示している。
また、「アラーム」との記載がある場合は、子機２０（第１の装置）においては、アラーム時刻が入力されて記憶装置２２に設定されている状態にあることを示し、クレードル３０（第２の装置）においては、アラーム時刻がタイマ装置３２に設定されて計時されている状態即ちアラーム状態にあることを示している。
【００２５】
図２（Ａ）に示すように、まず、子機２０とクレードル３０とが分離されて接続されていない状態において、子機２０側で、１２キー２８を用いてアラーム時刻を入力し、記憶装置２２に設定する。しかる後に、図２（Ｂ）に示すように、子機２０がクレードル３０にセットされて両者が接続された状態になると、クレードル３０のタイマ装置３２のアラーム状態（即ちアラーム時刻の計時中の状態）を通信端子２９を介して、クレードル３０側から読み出して、タイマ装置３２が起動されていない状態即ちアラーム時刻がセットされておらず計時されていない状態にある場合は、通信端子２９を介してクレードル３０のタイマ装置３２にアラーム時刻をセットして計時動作を起動する。
【００２６】
ここで、図３（Ｃ）に示すように、アラーム時刻が設定されている当該子機２０をクレードル３０から分離して接続されていない状態にした後、別のクレードル３０′にセットすることも可能であり、別のクレードル３０′に対しても記憶装置２２に記憶されている同一のアラーム時刻を設定して起動することができる。而して、簡単に、複数の異なるクレードル３０，３０′，…に順次切り替えて接続することにより、記憶装置２２に記憶されている同一のアラーム時刻をそれぞれのクレードル３０，３０′，…に順次セットすることができる。なお、記憶装置２２に異なるアラーム時刻を記憶し直して、別のクレードル３０′に接続して、先のクレードル３０にセットされたアラーム時刻とは異なるアラーム時刻をセットすることも可能である。また、別のクレードル３０′に対しては、対応する別の子機２０′を用いて、アラーム時刻をセットすることも勿論可能である。
【００２７】
また、図２（Ｄ）乃至（Ｆ）は、図２（Ａ）乃至（Ｃ）に対応している状態を示しているが、図２（Ａ）乃至（Ｃ）とは異なり、子機２０に一旦設定されていたアラーム時刻がクリアされる場合について説明している。即ち、図２（Ｄ）において、図２（Ａ）と同様に、子機２０側でアラーム時刻を入力して、記憶装置２２に設定し、更に、図２（Ｂ）と同様に、子機２０をクレードル３０にセットして接続することにより、クレードル３０のタイマ装置３２にアラーム時刻をセットした後、図２（Ｅ）に示すように、子機２０において、１２キー２８を用いて記憶装置２２に設定されているアラーム時刻を削除する指示を入力し、記憶装置２２に設定されていたアラーム時刻をクリアする。即ち、１２キー２８は、記憶装置２２に記憶されているアラーム時刻を削除するクリア手段も提供している。
【００２８】
しかる後において、図３（Ｆ）に示すように、アラーム時刻がクリアされた当該子機２０をクレードル３０から分離した後、再度、当該子機２０を別のクレードル３０′にセットすることができるが、図３（Ｃ）の場合とは異なり、図３（Ｆ）の場合には、アラーム時刻を記憶していない当該子機２０を別のクレードル３０′にセットして接続するものであり、別のクレードル３０′にはアラーム時刻が設定されないままとなる。なお、図２（Ｅ）においては、クレードル３０にセットされて接続された子機２０において、記憶装置２２に記憶されているアラーム時刻を削除することとして説明したが、クレードル３０から分離した後で、記憶装置２２に記憶されているアラーム時刻を削除することも勿論可能である。
更に、一旦記憶されている記憶装置２２からアラーム時刻を削除する動作は、第２の装置であるクレードル３０に対して一回でもアラーム時刻が送信された後において始めて有効とするようにして、アラーム時刻の不用意な削除を防止する手立てを行なうこととしても良い。
【００２９】
また、図２（Ｇ）は、例えば、図２（Ｃ）や図２（Ｆ）のような手順によりアラーム時刻がセットされたクレードル３０が子機２０と分離された状態で置かれている場合を示している。図２（Ｈ）は、アラーム時刻がセットされた状態にあるクレードル３０に対して、記憶装置２２にアラーム時刻が記憶されていない子機２０をセットした状態を示している。図２（Ｈ）に示すように、子機２０がクレードル３０にセットされて、両者が接続された状態になると、クレードル３０のタイマ装置３２のアラーム状態（即ち、アラーム時刻がセットされて計時されている状態）にあるか否かを示すアラーム情報やタイマ装置３２で計時されているアラーム時刻を、通信端子２９を介して読み出す動作が行なわれる。しかる後、子機２０は、接続したクレードル３０側のタイマ装置３２のアラーム状態やアラーム時刻を表示装置２５に表示させることができる。
【００３０】
また、図２（Ｉ）は、記憶装置２２にアラーム時刻ａが設定されている子機２０を、タイマ装置３２にアラーム時刻ｂがセットされて計時中のアラーム状態にあるクレードル３０にセットして接続しようとしている状態を示している。ここで、図２（Ｊ）に示すように、子機２０がクレードル３０にセットされて、両者が接続された状態になると、前述したごとく、クレードル３０のタイマ装置３２のアラーム状態やタイマ装置３２で計時されているアラーム時刻を、通信端子２９を介して読み出す動作が行なわれ、既にタイマ装置３２がアラーム時刻を計時中のアラーム状態にある場合は、その旨を示す警告表示を、必要であれば、クレードル３０に設定されて計時されているアラーム時刻ｂと共に、更には、記憶装置２２に記憶されているアラーム時刻ａと共に、表示装置２５に表示する。
【００３１】
ここで、ユーザが、１２キー２８を用いて、記憶装置２２に記憶されているアラーム時刻ａをタイマ装置３２に上書き設定する旨を選択して指示した場合は、図２（Ｊ）に示すように、子機２０側のアラーム時刻ａが通信端子２９を介してクレードル３０に送信されて、クレードル３０のタイマ装置３２にアラーム時刻ａが上書きされて設定し直される。一方、ユーザが、クレードル３０のタイマ装置３２にて計時されている現在のアラーム時刻ｂをそのまま用いて、アラームを鳴動する旨を選択して指示した場合は、子機２０側のアラーム時刻ａをクレードル３０側に送信する動作を行なわずに、クレードル３０のタイマ装置３２に設定されているアラーム時刻ｂの計時動作が継続される。
【００３２】
即ち、子機２０の表示装置２５は、クレードル３０のタイマ装置３２に既にアラーム時刻が設定されて計時されている状態にあることを示す警告表示を、記憶装置２２に記憶されているアラーム時刻ａ及び／又はタイマ装置３２にて計時されているアラーム時刻ｂと共に、あるいは、いずれの前記アラーム時刻も伴うことなく、表示する警告表示手段を構成している。また、１２キー２８は、前記警告表示に対して後続する動作を選択する選択手段を構成しており、記憶装置２２に記憶されているアラーム時刻ａをタイマ装置３２に上書きしてセットするか、又は、タイマ装置３２が計時しているアラーム時刻ｂのままとするかを、ユーザが選択することを可能としている。
【００３３】
図３は、本発明に係るアラーム装置の動作の一例を更に詳細に説明するための全体フローチャートである。
まず、ユーザからの設定手段即ち１２キー２８とユーザへの表示手段即ち表示装置２５とを用いて、ユーザが所望する任意の時刻をアラーム時刻ａとして子機２０に対して入力する（ステップＳ１）。次に、複数のクレードル３０に同じアラーム時刻を設定する場合に備えて、入力されたアラーム時刻ａを記憶装置２２に記憶する（ステップＳ２）。ここで、子機２０の入力部（１２キー２８や表示装置２５）において、入力されたアラーム時刻ａを保持することが可能である場合には、記憶装置２２にアラーム時刻ａを記憶する動作は、複数のクレードル３０に設定する指定をユーザがしている場合にのみ行なうこととし、一方、いずれか１つのクレードル３０にのみアラーム時刻ａを設定する場合には、入力部に保持されているアラーム時刻ａを直接クレードル３０に送信するために用いることとして、記憶装置２２には記憶させないようにしても構わない。しかし、本実施例においては、説明を簡単化するために、たとえ１つのクレードル３０のみの場合であっても、アラーム時刻を記憶装置２２に一旦記憶して保持することとして説明することとする。
【００３４】
アラーム時刻に設定された子機２０をクレードル３０にセットして、両者を接続状態にすると（ステップＳ３）、子機２０は、クレードル３０からタイマ装置３２にアラーム時刻が設定されて計時されているアラーム状態にあるか否かを示すアラーム情報を、通信端子２９を介して読み出す（ステップＳ４）。子機２０は、読み出したアラーム情報に基づいて、クレードル３０が既にアラーム状態に設定されているか否かをチェックする（ステップＳ５）。アラーム状態に設定されている場合は（ステップＳ５のＹＥＳ）、クレードル３０のタイマ装置３２にて計時されているアラーム時刻ｂを、子機２０側に通信端子２９を介して読み出す（ステップＳ６）。
【００３５】
次いで、クレードル３０が既にアラーム状態に設定されている旨を示す警告表示を、必要に応じて、クレードル３０側から読み出したアラーム時刻ｂと共に、更には、記憶装置２２に記憶されているアラーム時刻ａと共に、子機２０の表示装置２５に警告表示する（ステップＳ７）。ここで、前述のごとく、警告表示にアラーム時刻ａやアラーム時刻ｂを伴わない状態で表示することとしても構わない。あるいは、クレードル３０側から読み出したアラーム時刻ｂのみを伴った警告表示としても良い。
【００３６】
表示装置２５に表示された警告表示に基づいて、ユーザは、クレードル３０側に既にセットされて計時されているアラーム時刻ｂを、子機２０側に入力された新しいアラーム時刻ａにより上書きするか否かを選択する指示を、１２キー２８を介して入力する（ステップＳ８）。上書きをしないことを指示した場合は（ステップＳ９のＮＯ）、入力された子機２０のアラーム時刻ａをクレードル３０側に送信することなく、タイマ装置３２にて計時中のアラーム時刻ｂの計時動作をそのまま継続し、クレードル３０の充電装置３４からバッテリー２４を充電する動作のみが行なわれる。一方、上書きを指示している場合は（ステップＳ９のＹＥＳ）、クレードル３０の充電装置３４からバッテリー２４を充電すると共に、子機２０側に入力された新しいアラーム時刻ａをクレードル３０側に通信端子２９を介して転送し、クレードル３０側のタイマ装置３２に上書き設定して、新しいアラーム時刻ａを計時する動作が起動される（ステップＳ１０）。
【００３７】
また、ステップＳ５において、クレードル３０がアラーム状態に設定されていなかった場合においても（ステップＳ５のＮＯ）、ステップＳ１０に移行して、クレードル３０の充電装置３４からバッテリー２４を充電すると共に、子機２０側に入力されたアラーム時刻ａをクレードル３０側に通信端子２９を介して転送し、アラーム時刻ａを計時する動作を起動する（ステップＳ１０）。
しかる後に、子機２０は、アラーム時刻ａを記憶装置２２に保存したままにするか否かを、ユーザからの指示情報即ち複数のクレードル３０に同じアラーム時刻ａをセットするか否かの指示情報に基づいて、あるいは、逆に、ユーザからのクリア指示情報に基づいてチェックし（ステップＳ１１）、クリア指示ではなく、記憶装置２２に保存し続ける指示であった場合は（ステップＳ１１のＮＯ）、そのまま記憶装置２２に保存するが、一方、記憶装置２２から削除するクリア指示であった場合は（ステップＳ１１のＹＥＳ）、記憶装置２２からアラーム時刻ａを削除し、子機２０はアラーム時刻が設定されていないアラーム解除状態に移行する（ステップＳ１２）。
【００３８】
以降、子機２０がクレードル３０にセットされた状態から子機２０をクレードル３０からユーザが取り外すと（ステップＳ１３）、子機２０とクレードル３０との接続状態が解除される。
なお、アラーム時刻ａを入力又は記憶していない状態の子機２０を、クレードル３０にセットした場合には、ステップＳ４及びＳ５に示すように、クレードル３０のタイマ装置３２に既にアラーム時刻ｂが設定済みの状態にあれば、アラーム時刻ｂがクレードル３０側から子機２０側に取り出されて、ステップＳ７においてクレードル３０側のアラーム時刻ｂのみが子機２０の表示装置２５に表示される。
【００３９】
図４は、子機２０においてアラーム時刻を入力するためのアラーム時刻設定画面の一例を示す模式図である。１２キー２８を操作して表示装置２５にアラーム時刻設定画面を表示させて、アラーム時刻ａ（図４に示す例では、２００２年１０月３１日  １０：００）としてアラームを鳴動させたい任意の年月日と時刻とを１２キー２８により入力して「設定」ボタンを選択すると、子機２０内の記憶装置２２に入力されたアラーム時刻ａが保存される。また、「解除」ボタンを選択した場合は、設定されているアラーム時刻ａの取り込みは行なわずに、何もしないで終了する。
【００４０】
なお、ここで、子機２０がクレードル３０にセットされた際に、通信端子２９を介してクレードル３０側に送信するアラーム時刻としては、年月日と時刻とからなる時計情報そのものでなくても構わない。
即ち、例えば、子機２０側に備えられている時計が示す現在時刻から入力されたアラーム時刻に至るまでの所要時間（秒数）を算出し、更に、クレードル３０の充電装置３４に供給されるＡＣ電源が１秒間に何サイクル変化するかを計数して、該ＡＣ電源のＡＣ周波数を算出し、前記所要時間（秒数）に該ＡＣ周波数を掛け合わせて求められたカウンタ値をアラーム時刻としてクレードル３０側に送信して、タイマ装置３２にセットするようにしても良い。
【００４１】
更に、日本国内で使用される場合には、算出された前記ＡＣ周波数が、５０Ｈｚと６０Ｈｚとのいずれに対してより近いかを判定して、近い方の値（５０Ｈｚ又は６０Ｈｚ）を用いることとしても良い。かくのごときカウンタ値を用いてアラーム時刻を計時するタイマ装置３２は、ＡＣ電源のＡＣ周波数の１サイクル毎に、カウンタ値から“１”ずつ減算していき、カウンタ値が“０”に達した時点で、アラーム鳴動装置３１を起動して、アラームを鳴動させるように動作すれば良く、タイマ値３２の構成をより簡素化することができ、クレードル３０の小型化・経済化を図ることができる。
【００４２】
図５は、子機２０側の記憶装置２２に記憶されているアラーム時刻ａを保存し続けるか否かを選択するアラーム状態設定画面の一例を示す模式図である。即ち、記憶装置２２に記憶されているアラーム時刻ａをクレードル３０側に転送した後、記憶装置２２に記憶されているアラーム時刻ａをクリアして削除するかそのまま保存しておくかを選択する画面の例である。
ユーザが、表示装置２５に表示されたアラーム状態設定画面を参照して、１２キー２８を用いて、「設定後クリア」を選択して、「設定」ボタンを選択すると、アラーム時刻ａがクレードル３０側に転送された後、記憶装置２２に記憶されているアラーム時刻ａがクリアされて削除される動作が実行されることになる。
【００４３】
一方、「設定後保存」を選択して、「設定」ボタンを選択すると、アラーム時刻ａがクレードル３０側に転送された後であっても、アラーム時刻ａは引き続き記憶装置２２に記憶されたままの状態となり、複数のクレードル３０に対して同一のアラーム時刻ａを設定することが可能となる。
なお、「設定」ボタンではなく、「解除」ボタンを選択した場合は、何もしないで、記憶装置２２にアラーム時刻ａが記憶されたままの状態で終了する。
【００４４】
図６は、記憶装置２２にアラーム時刻ａを記憶していない子機２０がセットされたクレードル３０側のタイマ装置３２に、既にセットされていたアラーム時刻ｂを画面表示したアラーム設定内容画面の一例を示す模式図である。表示装置２５に画面表示された図６に示すアラーム設定内容画面を参照することにより、ユーザは、アラーム鳴動装置３１によりアラームが鳴動されるアラーム時刻ｂ（図６に示す例では、２００２年１１月３０日  １１：００）を確認することができる。なお、ユーザは、１２キー２８を用いて「解除」ボタンを選択することにより、クレードル３０側のタイマ装置３２にセットされて計時されているアラーム時刻ｂをリセットして初期状態に復旧させることができる。
【００４５】
図７は、記憶装置２２にアラーム時刻ａを記憶している子機２０がセットされたクレードル３０側のタイマ装置３２に、アラーム時刻ｂが既にセットされていることを警告するアラーム設定警告画面の一例を示す模式図である。なお、図７に示すアラーム設定警告画面として、記憶装置２２に記憶されているアラーム時刻ａとタイマ装置３２により計時されているアラーム時刻ｂとを画面表示しない場合の例を示しているが、クレードル３０側のタイマ装置３２にセットされているアラーム時刻ｂ、更には必要に応じて、子機２０側の記憶装置２２に記憶されているアラーム時刻ａを警告メッセージと共に、表示装置２５に画面表示させることとして、ユーザの判断がより容易にできるようにしても良い。
【００４６】
図７に示すアラーム設定警告画面において、ユーザが、１２キー２８を用いて「上書き」ボタンを選択した場合には、子機２０側の記憶装置２２に記憶されているアラーム時刻ａをクレードル３０側のタイマ装置３２に上書き設定して、新たにアラーム時刻ａを計時し直す動作が実行させる。一方、「解除」ボタンを選択した場合には、子機２０側の記憶装置２２に記憶されているアラーム時刻ａはクレードル３０側には転送されず、タイマ装置３２に既に設定されているアラーム時刻ｂを用いてそのまま計時される動作が継続される。
【００４７】
なお、図６に示すアラーム設定内容画面や図７に示すアラーム設定警告画面とは別に、ユーザが、クレードル３０のタイマ装置３２にアラーム時刻ｂがセットされて計時しているアラーム状態にあるか否かを容易に目視確認できるように、クレードル３０側面に点灯又は点滅する発光ダイオード等を備えさせて、タイマ装置３２がアラーム時刻を計時しているアラーム状態にある場合、該発光ダイオード等を点灯又は点滅させることとしても良い。
【００４８】
また、図１に示すクレードル３０に示すように、停止キー３８は、アラームが鳴動した際に、アラーム鳴動装置３１を停止させてアラームの鳴動を停止させる動作を行なう場合のみに限ることなく、アラーム時刻に到達する前にタイマ装置３２もリセットして計時動作を停止させることとしても良い。即ち、ユーザが一旦はアラーム時刻をセットしたものの、アラームの鳴動を要しないと判断した場合には、アラーム鳴動装置３１が起動される前に停止キー３８を操作して、図６に示す「解除」ボタンの場合と同様に、タイマ装置３２のアラーム時刻をリセットし、計時動作を停止させることが可能である。
【００４９】
【発明の効果】
以上、詳細に説明したように、本発明に係るアラーム装置及び該アラーム装置を備えた無線子機付き電話機によれば、子機がクレードルにセットされた場合に、子機側において予め入力されていたアラーム時刻をクレードルに転送してセットし、アラーム時刻に至った際にアラームを鳴動させることが可能であるので、単独ではアラーム時刻の表示や設定を行なう手段を何ら備えていない安価なクレードルであっても、所望するアラーム時刻にアラームを鳴動させるアラーム手段を提供することができる。
【図面の簡単な説明】
【図１】本発明に係るアラーム装置が適用される複数の子機とクレードルとを備えた無線子機付き電話機全体の構成の一例を示すブロック構成図である。
【図２】本発明に係るアラーム装置の動作の一例を説明するための模式図である。
【図３】本発明に係るアラーム装置の動作の一例を更に詳細に説明するための全体フローチャートである。
【図４】子機においてアラーム時刻を入力するためのアラーム時刻設定画面の一例を示す模式図である。
【図５】子機側に記憶されているアラーム時刻を保存し続けるか否かを選択するアラーム状態設定画面の一例を示す模式図である。
【図６】アラーム時刻を記憶していない子機がセットされたクレードル側に、既にセットされていたアラーム時刻を画面表示したアラーム設定内容画面の一例を示す模式図である。
【図７】アラーム時刻を記憶している子機がセットされたクレードル側に、アラーム時刻が既にセットされていることを警告するアラーム設定警告画面の一例を示す模式図である。
【符号の説明】
１０…親機、１１…制御装置、１２…回線インターフェース、１３…クロスポイントスイッチ、１４…電源装置、１５…スピーカ、１６…ハンドセット、１７…無線機、１８…１２キー、２０，２０′…子機、２１…制御装置、２２…記憶装置、２３…電源端子、２４…バッテリー、２５…表示装置、２６ａ…マイク、２６ｂ…スピーカ、２７…無線機、２８…１２キー、２９…通信端子、３０，３０′…クレードル、３１…アラーム鳴動装置、３２…タイマ装置、３３…電源端子、３４…充電装置、３５…電源端子、３８…停止キー、３９…通信端子、１００…無線子機付き電話機。
【図１】
2004212293.tif 000003
【図２】
2004212293.tif 000004
【図３】
2004212293.tif 000005
【図４】
2004212293.tif 000006
【図５】
2004212293.tif 000007
【図６】
2004212293.tif 000008
【図７】
2004212293.tif 000009